(57)【要約】【課題】  カラーの写真画像をコピー、プリントするときに黒色のＱＲコードを付加すると目立ってしまい違和感が大きいという問題がある。  トナーセーブモードをオンにすると、バーコードの黒と白の濃度差が維持できない恐れがある。【解決手段】  動作モードが写真モードの時、読み取った原画像データのうち、ＱＲコードを配置する周囲の背景色の平均値Ｈを元にする。そしてＱＲコードの読み取り判別が可能な差を持つ輝度Ｈ’を元に、バーコード黒を平均値Ｈ＋Ｈ’、バーコード白を平均値Ｈ−Ｈ’としてＱＲコードを生成する。  トナーセーブモードの時、ＱＲコード部分に対してはトナーセーブ処理を省略する。そして、ＱＲコード部分以外の原画像全面に対してはトナーセーブ処理を行う。【選択図】  図１
2011002597.tif 000002
【特許請求の範囲】
【請求項１】
バーコード（８Ａ）の付加と動作モードの指示が可能な画像処理装置（１０）において、動作モードとして写真モード以外が指示されている場合、バーコード（８Ａ）の黒バーは最低輝度値あるいは最低輝度に近い輝度で生成し、バーコード（８Ａ）の白バーは最高輝度値あるいは最高輝度に近い輝度で生成し、また動作モードとして写真モードが指示されている場合、バーコード（８Ａ）を配置する周辺領域の輝度平均値Ｈ（４）を算出し、バーコード（８Ａ）の黒バーは平均値Ｈ＋Ｈ’（５）となる輝度で生成し、バーコード（８Ａ）の白バーは平均値Ｈ−Ｈ′（６）となる輝度で生成し、そしてＨ’はバーコード（８Ａ）の読み取りが可能な差を持つ輝度値であることを特徴とする画像処理装置の制御方法。
【請求項２】
バーコード（８Ａ）の付加と動作モードの指示が可能な画像処理装置において、動作モードとしてトナーセーブモードが指示されている場合、バーコード（８Ａ）部分に対してトナーセーブ処理を行わず、バーコード（８Ａ）以外の部分に対してトナーセーブ処理を行い画像を形成する事を特徴とする画像処理装置の制御方法。
【請求項３】
請求項１および２の処理を連続して行うことを特徴とする画像処理装置の制御方法。
【発明の詳細な説明】
【技術分野】
【０００１】
本発明は画像処理システム、画像処理装置、画像処理方法及び記憶媒体に関するものである。
【０００２】
特にＱＲコード付加時の違和感減少およびトナーセーブモード時のＱＲコードの画質劣化を防止する画像処理装置の制御方法に関するものである。
【背景技術】
【０００３】
近年情報セキュリティ向上のため書類に対して、デジタル複写機でのコピー禁止やＦＡＸ送信禁止を行いたいという要望がある。（以後デジタル複写機はＭＦＰ＝Ｍｕｌｔｉ  Ｆｕｃｔｉｏｎ  Ｐｒｉｎｔｅｒとも呼ぶ。）そのような社会情勢の要望に答えるため、２次元バーコード（以後ＱＲコード）を埋め込んで印刷し、ＱＲコードを読み取った結果に応じてコピーやＦＡＸ送信を禁止する機能がＢＭＬｉｎｋＳにて提案されている。なおＱＲコードはデンソーウェーブの登録商標である。なおＢＭＬｉｎｋＳは、Ｂｕｓｉｎｅｓｓ  Ｍａｃｈｉｎｅ  Ｌｉｎｋａｇｅ  Ｓｅｒｖｉｃｅの略称である。ＢＭＬｉｎｋＳは、社団法人ビジネス機械・情報システム産業協会  ＢＭＬｉｎｋＳプロジェクト委員会が提唱するコンセプトである。（「§ＢＭＬｉｎｋＳ」は登録商標）ネットワーク環境下でのオフィス機器間の接続性、データ交換性を飛躍的に向上させる「統合化したインターフェース」の実現を目指している。（参照ＵＲＬｈｔｔｐ：／／ｗｗｗ．ｊｂｍｉａ．ｏｒ．ｊｐ／ｂｍｌｉｎｋｓ／ｉｎｔｒｏ／ｂｍｌｉｎｋｓ．ｈｔｍ）
そうするとＱＲコードは本来原稿には存在しない画像であるため、なるべく目立たなくする事がユーザーの立場からは望まれる。
【０００４】
またＱＲコードの部分をできるだけ高画質にして認識率を維持する事が望まれる。
【０００５】
またＱＲコードの一例を図７の原稿７１に示す。原稿７１に示すようなＱＲコードがコピーを繰り返された場合でも認識率を維持する事が望まれる。
【０００６】
また従来技術としては特開２００８−３３６２５号公報に示す物が存在する。従来技術は読み取り画像を元にカラー画像中のバーコード埋め込み領域を求める。そして埋め込み箇所のカラー画像を加法混色で表現し、読み取り可能なコード領域および背景領域を作成して重ねその箇所に埋め込む。
【０００７】
また従来技術としては特開２００７−７２０９９号公報に示す物が存在する。従来技術は記録感光体の表面におけるトナー像が形成されない非画像領域に、バーコード用トナー像に対応させてトナーパッチを形成する。そしてバーコードが常に新しいトナーで形成され、バーコードの濃度が安定する。
【先行技術文献】
【特許文献】
【０００８】
【特許文献１】特開２００８−３３６２５号公報
【特許文献２】特開２００７−７２０９９号公報
【発明の概要】
【発明が解決しようとする課題】
【０００９】
ＱＲコードの入っていない原稿をコピーして、ＱＲコードを埋め込む場合、特にユーザーの立場から、次に述べる課題が存在する。
【００１０】
（課題１）カラーの写真画像をコピー、プリントするときに黒色のＱＲコードを付加すると目立ってしまい違和感が大きいという問題がある。図３に示す従来例における処理の概念図のように、カラー原画像１をコピーし、ＱＲコード８Ｂを付加し、カラーコピー２を得た場合、周囲はカラー画像なのに、ＱＲコード８Ｂが黒色で生成されるため違和感が大きい。
【００１１】
（課題２）課題１の解決手法を後述する手法で解決した時に、同時にトナーセーブモードをオンにすると、バーコードの黒と白の濃度差が維持できない恐れがある。図４に示す従来例における処理の概念図のように、原画像２１をコピー、プリントする時に、ＱＲコードを付加し、トナーセーブ処理後の画像２３Ｂを得た場合、ＱＲコードにもトナーセーブ処理が行われ画像の色が薄くなってしまう。特に図７に示すような原稿のコピーや孫コピーが行われた時にバーコードの黒と白の濃度差が維持できない恐れがある。
【００１２】
また従来技術の特開２００８−３３６２５号公報では、バーコード埋め込み部分を求めて背景色を作成して融合するので、バーコードがどこにあるかユーザーが気づきにくいという問題がある。本発明はＱＲコードを埋め込む位置は動かさないで、ユーザーに明示しつつ、ユーザーの違和感を減少させる物である。
【００１３】
また従来技術の特開２００７−７２０９９号公報では、記録感光体の表面におけるトナーパッチ形成の制御を変える事で濃度を安定させる物である。本発明はＱＲコードにトナーセーブをかけないことで、認識率の低下を防ぐ物であり手段が異なる。
【００１４】
本発明は、上記課題を考慮して、ＱＲコード付加時の違和感減少およびトナーセーブモード時のＱＲコードの画質劣化を防止する画像処理装置の制御方法を提供する。
【課題を解決するための手段】
【００１５】
請求項１に記載の発明では、バーコード（８Ａ）の付加と動作モードの指示が可能な画像処理装置（１０）において、動作モードとして写真モード以外が指示されている場合、バーコード（８Ａ）の黒バーは最低輝度値あるいは最低輝度に近い輝度で生成し、バーコード（８Ａ）の白バーは最高輝度値あるいは最高輝度に近い輝度で生成し、また動作モードとして写真モードが指示されている場合、バーコード（８Ａ）を配置する周辺領域の輝度平均値Ｈ（４）を算出し、バーコード（８Ａ）の黒バーは平均値Ｈ＋Ｈ’（５）となる輝度で生成し、バーコード（８Ａ）の白バーは平均値Ｈ−Ｈ’（６）となる輝度で生成し、そしてＨ’はバーコード（８Ａ）の読み取りが可能な差を持つ輝度値であることを特徴とする。
【００１６】
請求項２に記載の発明では、バーコード（８Ａ）の付加と動作モードの指示が可能な画像処理装置において、動作モードとしてトナーセーブモードが指示されている場合、バーコード（８Ａ）部分に対してトナーセーブ処理を行わず、バーコード（８Ａ）以外の部分に対してトナーセーブ処理を行い画像を形成する事を特徴とする。
【００１７】
請求項３に記載の発明では、請求項１および２の処理を連続して行うことを特徴とする。
【発明の効果】
【００１８】
上述した課題１を解決するために、請求項１に記載の発明では、動作モードが写真モードの時、読み取った原画像データのうち、ＱＲコードを配置する周囲の背景色の平均値Ｈを元にする。そしてＱＲコードの読み取り判別が可能な差を持つ輝度Ｈ’を元に、バーコード黒を平均値Ｈ＋Ｈ’、バーコード白を平均値Ｈ−Ｈ’としてＱＲコードを生成する。
【００１９】
これによりＱＲコード付加時の違和感減少という効果が得られる。
【００２０】
上述した課題２を解決するために、請求項２に記載の発明では、トナーセーブモードの時、ＱＲコード部分に対してはトナーセーブ処理を省略する。そして、ＱＲコード部分以外の原画像全面に対してはトナーセーブ処理を行う。
【００２１】
これによりトナーセーブモード時のＱＲコードの画質劣化を防止するという効果が得られる。
【００２２】
また上述した課題１および２を解決するために、請求項３に記載の発明では、請求項１および２に記載の発明を連続して実施する。これにより、ＱＲコード付加時の違和感減少およびトナーセーブモード時のＱＲコードの画質劣化を防止するという効果が得られる。
【図面の簡単な説明】
【００２３】
【図１】本発明の第１の実施例における処理の概念図
【図２】本発明の第２の実施例における処理の概念図
【図３】従来例における処理の概念図
【図４】従来例における処理の概念図
【図５】トナーセーブ処理の一例
【図６】本発明におけるＭＦＰの構成図
【図７】ＱＲコードが孫コピーされた原稿の一例
【図８】本発明の第１の実施例における制御のフローチャート
【図９】本発明の第２の実施例における制御のフローチャート
【発明を実施するための形態】
【００２４】
以下添付図面を参照して、本発明に係る好適な実施例を詳細に説明する。
【００２５】
図６は、本発明例のデジタル複合機、デジタル複写機（ＭＦＰ）のシステム構成を示す図である。
【００２６】
図６中のＭＦＰ１１はＬＡＮ１２（Ｌｏｃａｌ  Ａｒｅａ  Ｎｅｔｗｏｒｋ）（ネットワークと呼ぶ場合を併用）経由でＰＣ１１（ホストコンピュータ）と接続される。近年ＭＦＰはＬＡＮに常時接続して、他のＭＦＰやＰＣ（Ｐｅｒｓｏｎａｌ  Ｃｏｍｐｕｔｅｒ）とサーバー（図示せず）と一緒に運用されることが一般的である。
【００２７】
またＦＡＸユニット５００を装着し、公衆回線の電話網１３経由で相手機１４と相互接続しＧ３やＧ４方式などによるＦＡＸ通信を行うことが可能である。
【００２８】
ＭＦＰは画像の入出力機能を有するものであり、紙原稿の入力および紙への印刷出力を行うものである。入力した画像情報は紙に印刷したり、デジタルデータとして保存やＬＡＮや電話網を経由して他の機器への転送なども可能である。
【００２９】
また、ホストコンピュータからのプリントデータや、他のＭＦＰからの画像情報を受信し、紙への印刷出力も可能である。
【００３０】
図６中の、ＭＦＰ１１内のコントローラユニット１００について説明する。コントローラユニット１００は画像入力デバイスであるスキャナユニット２００や画像出力デバイスであるプリンタユニット４００と接続する。また必要に応じてＦＡＸユニット５００と接続する。そしてＬＡＮ１２、電話網１３に接続することで、画像情報やデバイス情報の入出力を行う事ができる。また各ユニットが動作するための電源は電源ユニット６００から供給される。電源ユニット６００は電源コンセント１５（１００Ｖや２００Ｖなど）に接続し、ＡＣ−ＤＣ変換、ＤＣ−ＤＣ変換を行い、制御信号やスイッチに応じて、電力を供給、遮断する。図中の点線矢印が電源供給のラインを示している。プリンタで熱を使う印刷機構を用いる場合ＡＣがプリンタへ供給される場合もある。上記点線矢印はＦＡＸユニットへの電源入力６０３、コントローラユニットへの電源入力６０４、プリンタユニットへの電源入力６０５、操作パネルユニットへの電源入力６０６、スキャナユニットへの電源入力６０７である。電源はＭＦＰの状態に応じて、供給、遮断の制御がなされる。たとえばコントローラユニットからの制御信号６０９としてＳＯＣ１１０のＩ／Ｏポートを利用し、さまざまな電源のオン、オフ制御が可能である。またプリンタユニットからの制御信号６０８でもさまざまな電源のオン、オフ制御が可能である。またＦＡＸユニットからの制御信号６１０でもさまざまな電源のオン、オフ制御が可能である。これらを利用して省エネルギーでの待機のため使用しないユニットや回路の電源をオフする事や省エネルギーでの待機の解除を検知して通常動作に復帰することができる。またＭＦＰ内部の結線の片側が電源オフされても問題ないような回路素子を用いている。また本ＭＦＰではコントローラユニット１００経由でスキャナユニット２００、操作パネルユニット３００に電源が供給されている。
【００３１】
コントローラ内部ブロックは内部バスで接続されデータの伝達が可能である。ＳＯＣ（Ｓｙｓｔｅｍ  Ｏｎ  Ｃｈｉｐ）１１０はシステム全体を制御するプロセッサおよびＡＳＩＣ（特定用用途向けＩＣ）を内蔵している。ＡＳＩＣとしてはＲＡＭコントローラ、バスコントローラ、ＤＭＡコントローラ、Ｉ／Ｏポートコントローラ、ＨＤＤコントローラ、タイマー、割り込み処理、画像処理回路などＭＦＰのシステム動作に必要な機能が内蔵されている。ＲＡＭ１１１はＳＯＣ１１０を動作するためのシステムワークメモリである。また画像データを一時記憶するための画像メモリでもある。ＲＯＭ１１２はブートＲＯＭであり、システムのブートプログラムが格納されている。ＨＤＤ１１３はハードディスクドライブで、システムソフトウェア（ｂｏｏｔａｂｌｅ）、画像データ、設定値などを格納する。
【００３２】
システムソフトウェア（ｂｏｏｔａｂｌｅ）は、コピー、スキャン、プリンタ、ＦＡＸ、ＱＲコードの処理等の機能を実現するためのプログラムであり、ＲＡＭ１１１上に展開されて動作する。コントローラ内の画像処理部１１７は画像データの入出力に際して、画像データの符号化、復号化、ラスタライズ、回転、多値と２値の変換、変倍、その他適切な画像処理を行う。ＬＡＮＣ１１８はＬＡＮ１２に接続し、画像データの入出力や機器制御にかかわる情報の入出力を行う。ネットワーク上のホストコンピュータ１１，他のＭＦＰ（図示せず）、サーバー（図示せず）との間で出力用画像データを受信して画像出力を行うことや、逆に自機器で入力した画像データを送信することも可能である。
【００３３】
プリンタＩＦ（Ｉｎｔｅｒｆａｃｅ）１１６は、プリンタユニット４００と接続し、プリンタユニット４００のプリンタ制御部４０１と通信を行い、各種プリンタの状態取得やプリンタへの命令送出を行う。また、画像データの同期系／非同期系の変換を行い、プリントデータを伝達する。
【００３４】
スキャナＩＦ１１４は、スキャナユニット２００と接続し、スキャナユニット２００のスキャナ制御部２０１と通信を行い、各種スキャナの状態取得やスキャナへの命令送出を行う。また、画像データの同期系／非同期系の変換を行い、読み取ったスキャナデータを伝達する。
【００３５】
またスキャナユニット２００には、スキャナ制御部２０１、原稿を光学的に読み取るスキャナ２０４、自動原稿送り装置や原稿台内のスキャナ装置を駆動するスキャナ用モータ２０３が存在する。スキャナ制御部２０１はスキャナ２０４やスキャナ用モータ２０３や画像処理部２０２の制御を行う。スキャナ２０４で読み取った画像データをＡ／Ｄ変換したり、シェーディング処理したり、適切な画像処理をする画像処理部２０２が存在する。画像処理された画像データがスキャナ制御部２０１経由でコントローラユニット１００へ転送される。
【００３６】
操作パネルＩＦ１１５は操作パネル制御部３０２とのインターフェース部で、操作パネル３０１に表示する画像データを出力する。操作パネル３０１では押しボタンやテンキーやタッチパネルなどによる数値の入力や、コピー処理の開始などの操作を指示する事が可能である。
【００３７】
操作パネル３０１における入力操作は操作パネルＩＦ１１５を通じてＳＯＣ１１０が実行するプログラムにより認識・処理されて機器全体の設定や、機能の実行指示を行うことで複写やスキャンやＦＡＸ送信処理を行うことが可能である。またＢＭＬｉｎｋＳによる動作禁止モード（コピー禁止、ＦＡＸ送信禁止、スキャン禁止）の設定も行なうことができる。
【００３８】
ユーザーが原稿をＭＦＰにセットし操作パネル３０１やＰＣ１１よりスキャン指示を行うと、ＳＯＣ１１０より、スキャナＩＦ１１４を介してスキャナ制御部２０１へスキャン命令が伝達され、原稿のスキャンが行われる。読み取られた画像データは途中で適切に処理され、スキャナＩＦ１１４  を経由しＨＤＤ１１３やＰＣ１１に蓄積される。そしてＢＭＬｉｎｋＳによる動作禁止モードが有効になっていると、画像処理部２２０あるいは１１７でＱＲコードを検出してデコードする。スキャン禁止属性が読み取られれば、スキャンした画像データをＨＤＤ１１３やＰＣ１１に蓄積せず、操作パネル３０１よりユーザーに動作禁止であることを警告して、セキュリティを守る。
【００３９】
ユーザーが原稿をＭＦＰにセットし操作パネル３０１やＰＣ１１よりコピー指示を行うと、ＳＯＣ１１０より、スキャナＩＦ１１４を介してスキャナ制御部２０１へスキャン命令が伝達され、原稿のスキャンが行われる。読み取られた画像データは途中で適切に処理され、スキャナＩＦ１１４  を経由し、ＨＤＤ１１３に蓄積される。そしてＨＤＤ１１３の画像データを画像処理部１１７へ送り途中で適切な画像処理を行った後に、プリンタＩＦ１１６を経由して、プリンタユニット４００へ伝送される。プリンタ制御部４０１は受け取った画像データをプリンタ４０２で印刷する。そして印刷枚数による課金のためのカウンタ値を、不揮発性メモリＡ１１９に保存する。もしくは、フラッシュメモリ（Ｆｌａｓｈ  ｍｅｍｏｒｙ）等を使用する事ができる。回路素子としては電源が切れても記憶保持することができれば、ＳＳＤ（半導体ディスク）やＨＤＤやＦＲＡＭやフラッシュメモリやＥＥＰＲＯＭ等の不揮発性メモリや電池などによりバックアップされるＳＲＡＭなどを記憶手段とすればよい。なおＥＥＰＲＯＭはＥｌｅｃｔｒｉｃａｌ  Ｅｒａｓａｂｌｅ  Ｐｒｏｇｒａｍｍａｂｌｅ  ＲＯＭ、ＦＲＡＭ（強誘電体メモリ）はＦｅｒｒｏｅｌｅｃｔｒｉｃ  Ｒａｎｄｏｍ  Ａｃｃｅｓｓ  Ｍｅｍｏｒｙの略である。そしてＢＭＬｉｎｋＳによる動作禁止モードが有効になっていると、画像処理部２２０あるいは１１７でＱＲコードを検出してデコードする。コピー禁止属性が読み取られれば、スキャンした画像データをＨＤＤ１１３やＰＣ１１に蓄積せずプリントも行わず、操作パネル３０１よりユーザーに動作禁止であることを警告して、セキュリティを守る。
【００４０】
またユーザーが原稿をＭＦＰにセットし操作パネル３０１やＰＣ１１よりＦＡＸ送信指示を行うと、ＳＯＣ１１０より、スキャナＩＦ１１４を介してスキャナ制御部２０１へスキャン命令が伝達され、原稿のスキャンが行われる。読み取られた画像データは途中で適切に処理され、スキャナＩＦ１１４  を経由し、ＨＤＤ１１３に蓄積される。
【００４１】
そしてＨＤＤ１１３より通信ＩＦＡ１２０を経由して、ＦＡＸユニット５００内の通信ＩＦＢ５０１へ転送され、ＳＯＣ５０８を経由してＲＡＭ５０７に蓄積される。コントローラユニット１００とＦＡＸユニット５００間は通信ＩＦを介して、命令や応答のやり取りを随時行っており、お互いの状態やプリンタやスキャナの状態がわかるようになっている。
【００４２】
ＦＡＸユニット５００内のＳＯＣ５０８には、コントローラ内のＳＯＣ１１０と同等な機能が含まれる。コストダウンのためＳＯＣ５０８はＳＯＣ１１０より機能が制限されていたり処理能力が低いものでも構わない。またＲＯＭ１１２からプログラムを読み出し、ＳＯＣ５０８のＣＰＵが実行することでＦＡＸ通信の動作を制御している。またＲＡＭ５０７はＳＯＣ５０８のワーク領域や画像データ蓄積領域として使用され、機種によってはＲＡＭ５０７は停電時の画像データ消滅を避けるため２次電池などでバックアップされている物が存在する。
【００４３】
そして送信時は、ＳＯＣ５０８がモデム５０３、ＮＣＵ（Ｎｅｔｗｏｒｋ  Ｃｏｎｔｒｏｌ  Ｕｎｉｔ）５０４を制御し、相手機１４の電話番号を元に発呼を行う。電話網１３経由で相手機１４に接続された後に、ＩＴＵ−Ｔ勧告Ｔ．３０、Ｖ．３４、Ｖ．１７などに基づくＦＡＸ通信を行う。ＲＡＭ５０７に蓄積した画像データを、モデム５０３へ転送し、モデム５０３は変調、復調を行い、相手機１４と通信することでＦＡＸ通信による画像伝送が行われる。
【００４４】
また受信時は、相手機１４がＭＦＰ１０の電話番号を元に電話網１３に発呼を行い、ＮＣＵ５０４に電話網１３から呼び出し信号が入る。それを検知した事をＳＯＣ５０８に伝えて、ＳＯＣ５０８がモデム５０３、ＮＣＵ（Ｎｅｔｗｏｒｋ  Ｃｏｎｔｒｏｌ  Ｕｎｉｔ）５０４を制御し、相手機１４と接続しＦＡＸ受信を行う。ＦＡＸ受信画像データは、モデム５０３とＳＯＣ５０８を経由して、ＪＢＩＧ、ＭＭＲ、ＭＲ、ＭＨなどの符号化データのままＲＡＭ５０７に転送され蓄積される。そしてＦＡＸユニット５００内の通信ＩＦＢ５０１を経由して、通信ＩＦＡ１２０へ転送され、ＨＤＤ１１３へ蓄積される。途中で符号化データのエラーチェックのため展開、復号を行なっても良い。そしてＨＤＤ１１３の符号化データを復号し、画像処理部１１７で適切な画像処理を行った後に、プリンタＩＦ１１６を経由して、プリンタユニット４００へ伝送される。プリンタ制御部４０１は受け取った画像データをプリンタ４０２で印刷する。
【００４５】
そしてＢＭＬｉｎｋＳによる動作禁止モードが有効になっていると、画像処理部２２０あるいは１１７でＱＲコードを検出してデコードする。ＦＡＸ送信禁止属性が読み取られれば、スキャンした画像データをＨＤＤ１１３やＰＣ１１に蓄積せず、操作パネル３０１よりユーザーに動作禁止であることを警告して、セキュリティを守る。
【００４６】
これより本発明における第１の実施例で重要となる特徴的な制御を図８に示すフローチャートを用いて説明する。
【００４７】
まずＭＦＰは電源が投入され各種初期化がなされてスタンバイ状態にあるとする。ここでＱＲコード付きの書類を作成するため、カラー原稿のコピー指示を行ったとする。（Ｓ８０１）
すると以下の処理決定フローに基づいて、コントローラ内部で制御処理を行う。
【００４８】
ユーザーの指示した動作モードが写真モードかを判定する。写真モードでない時つまり文字や文字・写真モードであれば、文字主体の原稿と考えられるので、Ｓ８０５へ移行する。写真モードであれば、写真主体の原稿と考えられるので、Ｓ８０２へ移行する。（Ｓ８０２）
そして写真モードに応じた設定で原稿の読み取りをスキャナユニットで行う。読み取った原稿のＱＲ配置周囲より輝度の平均値Ｈを算出する。輝度としてはＲ（赤）、Ｇ（緑）、Ｂ（青）の３色で、１色ごとに例えば各８ｂｉｔで量子化されている値を元に平均値Ｈの算出を行う。そしてＳ８０４へ移行する。（Ｓ８０３）
ＱＲコードの読み取り判別が可能な差を持つ輝度Ｈ’を元に、バーコード黒を平均値Ｈ＋Ｈ’、バーコード白を平均値Ｈ−Ｈ’として設定する。Ｈ’は、ユーザーやサービスマンによる設定や原稿のヒストグラムをとって生成するなどにより適切に決定する。そしてＳ８０６へ移行する。（Ｓ８０４）
Ｓ８０５では、ＱＲコードの読み取り判別ができるだけ有利になるよう、バーコード黒を輝度最低値（例えば０）、バーコード白を輝度最大値（例えば２５５）として設定する。そしてＳ８０６へ移行する。（Ｓ８０５）
設定されたバーコード黒と白の輝度値でＱＲコード画像を生成する。付加するＱＲコードの情報としてはＢＭＬｉｎｋＳにより定義されており、内容の詳細については本発明とは直接関連しないため省略する。ここで、ユーザー設定により、コピー禁止、ＦＡＸ送信禁止、スキャン禁止などの属性がＱＲコードで付加される。そしてＳ８０７へ移行する。（Ｓ８０６）
ＱＲコードの付加が終了すれば、指示された動作を継続してスタンバイ状態に戻る。（Ｓ８０７）
上記処理により図１に示すようなＱＲコード付加が行われ、発明の効果を得ることができる。
【００４９】
これより本発明における第２の実施例で重要となる特徴的な制御を図９に示すフローチャートを用いて説明する。
【００５０】
まずＭＦＰは電源が投入され各種初期化がなされてスタンバイ状態にあるとする。ここでＱＲコード付きの書類を作成するため、原稿のコピー指示を行ったとする。（Ｓ９０１）
すると以下の処理決定フローに基づいて、コントローラ内部で制御処理を行う。
【００５１】
ユーザーの指示した動作モードがトナーセーブモードかを判定する。トナーセーブモードでない時は、ＱＲコードの濃度差も最大限維持できると考えられるので、特に何も行わずＳ９０４へ移行する。トナーセーブモードであれば、ＱＲコードの濃度差を維持できない恐れがあるので、Ｓ９０３へ移行する。（Ｓ９０２）
Ｓ９０３では、ＱＲコード部分に対してはトナーセーブ処理を省略する。そして、ＱＲコード部分以外の原画像全面に対してはトナーセーブ処理を行う。そしてトナーセーブ処理を省略したＱＲコードを配置場所に埋め込む。そしてトナーセーブ処理後の画像２３Ａが得られ、上記画像２３Ａの画像データを用いて、印刷を行う。例えば図５に示すような印刷時の黒ドットを白ドットに変換する画像処理をパターンマッチング等で画像処理部１１７で実施し、トナーセーブ処理を行う。図５に示すトナーセーブ処理はほんの一例であり、本発明とは直接関係ないため、他のパターンについては省略する。そしてＳ９０４へ移行する。（Ｓ９０３）
ＱＲコードの付加が終了すれば、指示された動作を継続してスタンバイ状態に戻る。（Ｓ９０４）
コピーの動作例を説明したが、ＰＣからのプリントでも同様の処理となる。上記処理により図２に示すようなＱＲコード付加が行われ、発明の効果を得ることができる。
【符号の説明】
【００５２】
１  カラー原画像
２  カラーコピー
３  ＱＲ配置周囲
４  平均値Ｈ
５  バーコード黒の補正済輝度
６  バーコード白の補正済輝度
７  ＱＲコードのクリアーエリア
８Ａ  ＱＲコード（バーコード黒と白を補正済輝度で生成）
８Ｂ  ＱＲコード（バーコード黒と白を補正なし輝度で生成）
１０  ＭＦＰ（複写機）
１１  ＰＣ
１２  ＬＡＮ（Ｌｏｃａｌ  Ａｒｅａ  Ｎｅｔｗｏｒｋ）
１３  電話網
１４  相手機
１５  電源コンセント
２１  原画像
２２  トナーセーブ処理中の画像
２３Ａ  トナーセーブ処理後の画像
２３Ｂ  トナーセーブ処理後の画像
２４Ａ  トナーセーブ省略したＱＲコード
２４Ｂ  トナーセーブ済ＱＲコード
５１  原画像の一例
５２  トナーセーブ処理後の画像の一例
７１  原稿
７２  コピーされた原稿
７３  孫コピーされた原稿
１００  コントローラユニット
２００  スキャナユニット
３００  操作パネルユニット
４００  プリンタユニット
５００  ＦＡＸユニット
６００  電源ユニット
１１０  ＳＯＣ（Ｓｙｓｔｅｍ  Ｏｎ  Ｃｈｉｐ）
１１１  ＲＡＭ
１１２  ＲＯＭ
１１３  ＨＤＤ
１１４  スキャナＩＦ
１１５  操作パネルＩＦ
１１６  プリンタＩＦ
１１７  画像処理部
１１８  ＬＡＮＣ
１１９  不揮発メモリＡ
１２０  通信ＩＦＡ
２０１  スキャナ制御部
２０２  画像処理部
２０３  スキャナ用モータ
２０４  スキャナ
３０１  操作パネル
３０２  操作パネル制御部
４０１  プリンタ制御部
４０２  プリンタ
５０１  通信ＩＦＢ
５０２  ＲＴＣ（Ｒｅａｌ  Ｔｉｍｅ  Ｃｌｏｃｋ）
５０３  モデム
５０４  ＮＣＵ（Ｎｅｔｗｏｒｋ  Ｃｏｎｔｒｏｌ  Ｕｎｉｔ）
５０５  不揮発性メモリＢ
５０６  ＲＯＭ
５０７  ＲＡＭ
５０８  ＳＯＣ（Ｓｙｓｔｅｍ  Ｏｎ  Ｃｈｉｐ）
５０９  外部ＩＦ
６０１  電源制御部
６０２  ＡＣ入力
６０３  ＦＡＸユニットへの電源入力
６０４  コントローラユニットへの電源入力
６０５  プリンタユニットへの電源入力
６０６  操作パネルユニットへの電源入力
６０７  スキャナユニットへの電源入力
６０８  プリンタユニットからの制御信号
６０９  コントローラユニットからの制御信号
６１０  ＦＡＸユニットからの制御信号
６１２  普通のスイッチ
【図１】
2011002597.tif 000003
【図２】
2011002597.tif 000004
【図３】
2011002597.tif 000005
【図４】
2011002597.tif 000006
【図５】
2011002597.tif 000007
【図６】
2011002597.tif 000008
【図７】
2011002597.tif 000009
【図８】
2011002597.tif 000010
【図９】
2011002597.tif 000011